(57)【要約】【課題】清掃具の収納を行う際に、簡単に転倒せず、収納した状態の見栄えが良く、清掃具を取り出す際に引き抜き易いと共に、清掃具を取り出す際に、清掃モップ部に付着したゴミやホコリが舞い上がり難い収納スタンドを提供すること。【解決手段】本発明の収納スタンド１Ａは、清掃具２を挿入して収納するものである。収納スタンド１Ａは、開口部１１の開口面積（Ｓｏ）、底部１２での底面積（Ｓｂ）及び括れ部１３での横断面面積（Ｓｎ）の関係が、Ｓｎ＜Ｓｏ≦Ｓｂである。また、清掃具２の清掃モップ部２２の横断面の面積（Ｓｍ）、開口部１１の開口面積（Ｓｏ）及び括れ部１３での横断面面積（Ｓｎ）の関係が、Ｓｎ＜Ｓｍ≦Ｓｏである。そして、清掃モップ部２２のＹ方向の長さ（Ｌｍ）、収納スタンド１ＡのＹ方向の長さ（Ｌｏ）及び収納スタンド１Ａの底部１２から括れ部１３までの長さ（Ｌｎ）の関係が、Ｌｎ＜Ｌｍ≦Ｌｏである。【選択図】図１
2014233414.tif 000002
【特許請求の範囲】
【請求項１】
手で持つ柄部と該柄部の先端側に全周に亘って繊維毛で覆われた縦長の清掃モップ部とを有する清掃具を、挿入して収納する有底筒状の縦長の収納スタンドであって、
前記収納スタンドは、その開口部とその底部との間に内方に括れた括れ部を有しており、
前記収納スタンドの前記開口部での横断面の面積（Ｓｏ）、前記底部での横断面の面積（Ｓｂ）及び括れ部での横断面の面積（Ｓｎ）の関係が、Ｓｎ＜Ｓｏ≦Ｓｂであり、
前記清掃具の前記清掃モップ部での横断面の面積（Ｓｍ）、前記収納スタンドの前記開口部での横断面の面積（Ｓｏ）及び括れ部での横断面の面積（Ｓｎ）の関係が、Ｓｎ＜Ｓｍ≦Ｓｏであり、
前記清掃具の前記清掃モップ部の長手方向の長さ（Ｌｍ）、前記収納スタンドの長手方向の長さ（Ｌｏ）及び前記収納スタンドの前記底部から前記括れ部までの長さ（Ｌｎ）の関係が、Ｌｎ＜Ｌｍ≦Ｌｏである収納スタンド。
【請求項２】
前記清掃具の前記清掃モップ部の長手方向の長さ（Ｌｍ）と前記収納スタンドの前記底部から前記括れ部までの長さ（Ｌｎ）の関係が、Ｌｎ≧Ｌｍ／２である請求項１に記載の収納スタンド。
【請求項３】
前記括れ部は、前記収納スタンドを縦断面視して、前記収納スタンドの側壁が屈曲して形成されているか、或いは前記収納スタンドの側壁が凸状に湾曲して形成されている請求項１又は２に記載の収納スタンド。
【請求項４】
前記括れ部は、全周に亘って括れている請求項１〜３の何れか１項に記載の収納スタンド。
【請求項５】
前記括れ部は、周方向に間欠的に配された内方に窪んだ窪み部を有している請求項１〜４の何れか１項に記載の収納スタンド。
【請求項６】
前記清掃具と、請求項１〜５の何れか１項に記載の収納スタンドとを備えた清掃具セット。
【発明の詳細な説明】
【技術分野】
【０００１】
本発明は、清掃モップ部を有する清掃具を挿入して収納する収納スタンドに関する。
【背景技術】
【０００２】
リビングの床、本棚、パソコンのキーボード、観葉植物等に積もった埃をとるのにハンドル付きのモップタイプの掃除道具が知られている。モップタイプの掃除道具は、気付いた埃を手軽にとるため、一般的に、リビングの手の届く範囲に置かれている。掃除道具を収納する収納容器として、例えば、特許文献１〜３の容器が知られている。
【０００３】
特許文献１に記載のモップ収納容器は、ハンドル付きモップを容器本体に収納したときに、モップ収納容器とハンドル付きモップとが所定の位置に配されるように設計された容器である。また、特許文献２に記載のトイレ用ブラシ容器は、リビングの床等に用いられるモップタイプの掃除道具を収納する容器ではないが、ハンドル部分を外方に突出した状態でトイレ用のブラシ部分を収納する容器である。
【０００４】
また、特許文献３に記載のモップケースは、清掃用モップを収納するケース本体に、ゴミを移動させるようにゴミ移動機構を設けて形成されている。
【先行技術文献】
【特許文献】
【０００５】
【特許文献１】特開２００９−２４０５０４号公報
【特許文献２】特開２００９−１７８４８８号公報
【特許文献３】特開２００７−３１３３０１号公報
【発明の概要】
【発明が解決しようとする課題】
【０００６】
特許文献１に記載のモップ収納容器、及び特許文献２に記載のトイレ用ブラシ容器は、モップ収納を行っても簡単に転倒せず、床面設置上の安定性に優れたものである。
しかし、特許文献１及び特許文献２には、モップを取り出す際に、モップに付着したゴミやホコリを舞い上げ難くすることに関して、何ら配慮されておらず、モップを取り出す際に引き抜き易いことに関しても、何ら配慮されていない。
【０００７】
特許文献３に記載のモップケースは、モップに付着しているゴミやホコリを充分に除去することができ、一旦除去されたゴミやホコリがモップに再付着し難くなっている。
しかし、特許文献３に記載のモップケースは、モップを取り出す際に、モップに付着したゴミやホコリを舞い上げ難くするものではない。また、特許文献３には、モップを取り出す際に引き抜き易いことに関して、何ら配慮されていない。
【０００８】
本願発明は、モップなどの掃除具を取り出す際に、付着したゴミやホコリを舞い上げ難く、引き抜き易い、収納スタンドの提供を課題とする。
【課題を解決するための手段】
【０００９】
本発明は、手で持つ柄部と該柄部の先端側に全周に亘って繊維毛で覆われた縦長の清掃モップ部とを有する清掃具を、挿入して収納する有底筒状の縦長の収納スタンドであって、前記収納スタンドは、その開口部とその底部との間に内方に括れた括れ部を有しており、前記収納スタンドの前記開口部での横断面の面積（Ｓｏ）、前記底部での横断面の面積（Ｓｂ）及び括れ部での横断面の面積（Ｓｎ）の関係が、Ｓｎ＜Ｓｏ≦Ｓｂであり、前記清掃具の前記清掃モップ部での横断面の面積（Ｓｍ）、前記収納スタンドの前記開口部での横断面の面積（Ｓｏ）及び括れ部での横断面の面積（Ｓｎ）の関係が、Ｓｎ＜Ｓｍ≦Ｓｏであり、前記清掃具の前記清掃モップ部の長手方向の長さ（Ｌｍ）、前記収納スタンドの長手方向の長さ（Ｌｏ）及び前記収納スタンドの前記底部から前記括れ部までの長さ（Ｌｎ）の関係が、Ｌｎ＜Ｌｍ≦Ｌｏである収納スタンドを提供するものである。
【発明の効果】
【００１０】
本発明の収納スタンドによれば、清掃モップ部を垂直に保持することができるため、清掃具の収納状態が安定し、簡単に転倒せず、清掃具を収納した状態の柄部が起立して見栄えが良い。
更に、清掃具を収納する際に挿入し易く、取り出す際に引き抜き易い。また、清掃具を収納する際にも、取り出す際にも、清掃モップ部に付着したゴミやホコリが舞い上がり難い。
【図面の簡単な説明】
【００１１】
【図１】図１は、本発明の好ましい第１実施形態の収納スタンドに清掃具を挿入して収納した掃除具セットの斜視図である。
【図２】図２は、図１に示す第１実施形態の収納スタンドの斜視図である。
【図３】図３は、図２に示す第１実施形態の収納スタンドを上方側から頂面視した平面図である。
【図４】図４は、図２に示す第１実施形態の収納スタンドの側面図である。
【図５】図５は、図４に示す第１実施形態の収納スタンドを縦断面視した断面図である。
【図６】図６は、図１に示す掃除具セットの備える清掃具の斜視図である。
【図７】図７は、図６に示す清掃具を正面視した平面図である。
【図８】図８は、図１に示す第１実施形態の収納スタンドと清掃具との大きさの関係を説明するための図である。
【図９】図９は、本発明の好ましい第２実施形態の収納スタンドを上方側から頂面視した平面図である（図３相当図）。
【図１０】図１０は、本発明の好ましい第２実施形態の収納スタンドの側面図である（図４相当図）。
【図１１】図１１は、図１０に示す第２実施形態の収納スタンドを縦断面視した断面図である（図５相当図）。
【発明を実施するための形態】
【００１２】
以下、本発明の収納スタンドを、その好ましい第１実施形態に基づき、図１〜図８を参照しながら説明する。
第１実施形態の収納スタンド１Ａ（以下、単に「収納スタンド１Ａ」ともいう。）は、図１に示すように、手で持つ柄部２１と柄部２１の先端側に全周に亘って繊維毛２３で覆われた縦長の清掃モップ部２２とを有する清掃具２を、挿入して収納する有底筒状の縦長の収納スタンド１Ａである。図１には、収納スタンド１Ａと清掃具２とを備えた清掃具セット１００が示されている。
以下の説明においては、図１に示すように、縦長の清掃モップ部２２の長手方向及び縦長の収納スタンド１Ａの長手方向を、Ｙ方向として説明し、Ｙ方向に直交する清掃モップ部２２の幅方向（短手方向）及び収納スタンド１Ａの幅方向（短手方向）をＸ方向として説明する。即ち、清掃モップ部２２のＹ方向及びＸ方向は、それぞれ、清掃具２のＹ方向及びＸ方向と同じ方向である。
【００１３】
収納スタンド１Ａは、清掃具２を挿入して収納するものである。収納スタンド１Ａは、図２に示すように、Ｙ方向に長い有底筒状の形状であり、その上方に設けた開口部１１とその底部１２との間に内方に括れた括れ部１３を有している。具体的には、第１実施形態の収納スタンド１Ａは、Ｙ方向の上方側から頂面視（図３参照）して円形状の開口部１１と、Ｙ方向の下方側から底面視して円形状の底部１２と、開口部１１と底部１２との間に側面視（図４参照）して収納スタンド周方向のいずれの方向から見ても内方に括れた括れ部１３とを有している。この括れ部は、後で詳しく述べるように、収納スタンド１Ａにおいてその上下部分も含めその厚みが略一定であるので、外観のみならず内面も括れている。尚、開口部１１又は底部１２の形状に関しては、特に制限されず、例えば、図３に示すような、円形の他、楕円形、菱形、多角形等の任意の形状であってもよい。
【００１４】
第１実施形態では、収納スタンド１Ａは、図５に示すように、円形状の底部１２の全周に亘って側壁１４が立設し、有底の略円筒状の形状となっている。収納スタンド１Ａは、合成樹脂を素材として、例えば、ブロー成形により一体成形したり、２パーツ以上を射出成形により作製した後それらを接合したりして製造することができる。合成樹脂としては、ポリ塩化ビニル、ポリエチレン、ポリプロピレン、ポリスチレン、ポリカーボネート、ポリエチレンテレフタレート（ＰＥＴ）、ポリエチレンテレフタレートとシクロヘキサンジメタノールとの共重合体（ＰＥＴＧ）、ポリシクロヘキシレンジメチレンテレフタレートとイソフタル酸との共重合体（ＰＣＴＡ）、アクリルニトリル・ブタジエン・スチレン共重合体（ＡＢＳ）等が挙げられる。収納スタンド１Ａは、Ｙ方向の高さが１３０ｍｍ〜１８０ｍｍ程度のものであり、Ｘ方向の幅が６０ｍｍ〜１００ｍｍ程度のものである。収納スタンド１Ａの底部１２の厚み及び側壁１４の厚みは、０．５ｍｍ〜３ｍｍ程度のものである。
【００１５】
括れ部１３は、収納スタンド１Ａを縦断面視（垂直方向（Ｙ方向）に断面視）（図５参照）して、収納スタンド１Ａの内方に収納スタンド１Ａの略一定の厚みを有する側壁１４が屈曲して形成されているか、或いは収納スタンド１Ａの側壁１４が凸状に湾曲して形成されており、本実施形態では、図５に示すように、側壁１４が内方に凸状に湾曲して形成されている。すなわち、くびれ部１３は、その上下部分も含めその厚みが略一定である。また、本実施形態では、括れ部１３は、図２に示すように、全周に亘って内方に括れている。図５に示すように、括れ部１３の頂部１３ａに接するＹ方向に平行な仮想接線ＩＬを引いた際、頂部１３ａよりもＹ方向下方側の側壁１４と仮想接線ＩＬとのなす角α１と、頂部１３ａよりもＹ方向上方側の側壁１４と仮想接線ＩＬとのなす角α２との関係が、使用後の清掃モップ部２２にゴミやホコリの付いた清掃具２を再度使用するために取り出す際に、清掃モップ部２２に付着したゴミやホコリが舞い上がり難い観点から、なす角α１がなす角α２よりも小さいことが好ましい。なす角α１は、同様の観点から、なす角α２の１／４以上、なす角α２の1／２以下であることが好ましい。なす角α１は２．５°〜１５°程度のものであり、なす角α２は１０°〜３０°程度のものであることが好ましい。尚、頂部１３ａは、括れ部１３における最も内方に位置する部分であり、括れ部１３が後述する窪み部１５を有する場合（第２実施形態の収納スタンド１Ｂ参照）には、該窪み部１５を除く括れ部１３の部分で、最も内方に位置する部分とする。
【００１６】
収納スタンド１Ａに挿入して収納する清掃具２は、図６，図７に示すように、手で持つ柄部２１、清掃モップ部２２を取り付ける清掃ヘッド２４、清掃ヘッド２４に装着する清掃モップ部２２からなる所謂ハンディタイプの掃除具である。清掃モップ部２２は、例えば表裏一対の不織布からなるＹ方向に長い袋状の基材２２ａに、その全周に亘って複数の糸状の繊維毛２３を熱融着等により植設して形成されたＹ方向に長い柱状の柔軟なモップとなっている。柱状の清掃モップ部２２のＸ方向の断面形状に関しては、特に制限されず、例えば、円形、楕円形、菱形、多角形等の任意の形状であってもよく、図６に示す実施形態においては、円形に形成されている。清掃モップ部２２は、その袋状の基材２２ａの内部に、清掃ヘッド２４を挿入した状態で使用され、清掃ヘッド２４に着脱交換可能となっている。清掃ヘッド２４は、Ｙ方向にしなり易い形状を有し、手で持つ柄部２１の先端に嵌合させて連設されている。清掃具２は、柄部２１を手で把持して、清掃モップ２２が装着された清掃ヘッド２４を適宜しならせながら、リビングの床面、本棚、パソコンのキーボード、観葉植物等の被清掃面に接触させたり押し付けたりすることで、被清掃面に付着したゴミ、埃、汚れ等を、清掃モップ２２によって効果的に捕集できるようになっている。
【００１７】
柄部２１及び清掃ヘッド２４は、それぞれ、合成樹脂を素材として、射出成形等することにより製造することができる。合成樹脂としては、ポリ塩化ビニル、ポリエチレン、ポリプロピレン、ポリスチレン、ポリカーボネート、ポリエチレンテレフタレート（ＰＥＴ）、ポリエチレンテレフタレートとシクロヘキサンジメタノールとの共重合体（ＰＥＴＧ）、ポリシクロヘキシレンジメチレンテレフタレートとイソフタル酸との共重合体（ＰＣＴＡ）、アクリルニトリル・ブタジエン・スチレン共重合体（ＡＢＳ）等が挙げられる。
【００１８】
清掃モップ部２２を構成する基材２２ａは、例えば、スパンボンド不織布、スパンボンドの層とメルトブローンの層との積層不織布、或いはエアスルー不織布等から形成されている。
【００１９】
清掃モップ部２２を構成する繊維毛２３は、埃等の絡み取り性の観点から、螺旋状（コイル状）の三次元捲縮を有する捲縮繊維であることが好ましく、捲縮繊維としては、例えば、収縮率の異なる２種類の成分からなる偏心芯鞘型若しくは同心芯鞘型の複合繊維又はサイド・バイ・サイド型の複合繊維が挙げられる。具体的に、収縮率の異なる２種類の成分としては、（１）エチレン−プロピレンランダム共重合体（高収縮率成分）とポリプロピレン（低収縮率成分）との組み合わせ、（２）ポリエチレンテレフタレート（ＰＥＴ，低収縮率成分）とポリエチレンテレフタレートとイソフタル酸の共重合体（ＣｏＰＥＴ，高収縮率成分）との組み合わせ等が挙げられる。
【００２０】
第１実施形態の収納スタンド１Ａを用いる清掃具セット１００は、収納スタンド１Ａと、該収納スタンド１Ａに挿入して収納する清掃具２とを備えて構成される。
上述した第１実施形態の収納スタンド１Ａは、清掃具２の清掃モップ部２２を垂直に保持することができるため、清掃具２の収納状態が安定し、収納を行っても簡単に転倒せず、清掃具２を収納した状態の柄部２１が起立して見栄えが良い観点、清掃具２を収納する際に挿入し易く、取り出す際に引き抜き易い観点、及び、清掃具２を収納する際にも、取り出す際にも、清掃モップ部２２に付着したゴミやホコリが舞い上がり難い観点から、以下の式（１）〜式（３）の要件を同時に満たしている。
【００２１】
収納スタンド１Ａの開口部１１での横断面の面積（Ｓｏ）、底部１２での横断面の面積（Ｓｂ）及び括れ部１３での横断面の面積（Ｓｎ）の関係が、以下の式（１）を満たすこと（図８参照）。
Ｓｎ＜Ｓｏ≦Ｓｂ・・・（１）
ここで、横断面とは、収納スタンド１Ａの水平方向（Ｘ方向）の断面を意味し、開口部１１での横断面の面積（Ｓｏ）とは、収納スタンド１Ａの開口部１１の開口面積と同じ意味であり、底部１２での横断面の面積（Ｓｂ）とは、収納スタンド１Ａの底面積と同じ意味である。また、括れ部１３での横断面の面積（Ｓｎ）とは、収納スタンド１Ａの開口部１１と底部１２との間の最も内方に括れた部位での面積、即ち、開口部１１と底部１２との間で横断面の面積が最も小さい位置での面積を意味する。
【００２２】
具体的な横断面の面積は、収納スタンド１Ａに挿入して収納される清掃具２によって、適宜選択されるものである。例えば、後述する清掃具２の清掃モップ部２２の横断面の面積（Ｓｍ）が２８００ｍｍ2〜３８００ｍｍ2程度である場合には、括れ部１３での横断面の面積（Ｓｎ）は２０００ｍｍ2〜２５００ｍｍ2程度のものであることが好ましく、開口部１１での横断面の面積（Ｓｏ）は３０００ｍｍ2〜３８００ｍｍ2程度のものであることが好ましく、底部１２での横断面の面積（Ｓｂ）は３８００ｍｍ2〜４９００ｍｍ2程度のものであることが好ましい。
開口部１１での横断面の面積（Ｓｏ）は、括れ部１３での横断面の面積（Ｓｎ）よりも広く、特に清掃具２のゴミやホコリを舞い散らさずに挿入し易く、引き抜き易い観点から、括れ部１３の面積（Ｓｎ）の１.２倍以上であることが好ましく、１.３倍以上であることが更に好ましい。
底部１２での横断面の面積（Ｓｂ）は、開口部１１での横断面の面積（Ｓｏ）と同じか或いはそれよりも広く、特に清掃具２を挿入する際、取り出す際に、倒れることなく安定して引き抜き易い観点から、開口部１１での横断面の面積（Ｓｏ）の１倍以上が好ましく、１.１倍以上であることが特に好ましい。
【００２３】
収納スタンド１Ａに挿入して収納する清掃具２の清掃モップ部２２での横断面の面積（Ｓｍ）、収納スタンド１Ａの開口部１１での横断面の面積（Ｓｏ）及び括れ部１３での横断面の面積（Ｓｎ）の関係が、以下の式（２）を満たすこと（図８参照）。
Ｓｎ＜Ｓｍ≦Ｓｏ・・・（２）
ここで、清掃モップ部２２での横断面の面積（Ｓｍ）とは、自然状態における清掃モップ部２２を構成する繊維毛２３の先端までの距離から求められる値であり、清掃モップ部２２において水平方向（Ｘ方向）の断面の面積が最も広い位置での面積を意味する。
【００２４】
前述の通り、本実施形態の清掃具２の清掃モップ部２２での横断面の面積（Ｓｍ）は２８００ｍｍ2〜３８００ｍｍ2程度である。清掃モップ部２２での横断面の面積（Ｓｍ）は、括れ部１３での横断面の面積（Ｓｎ）よりも広く、特に清掃具２を挿入した状態で略垂直状態に保持する観点から、収納スタンド１Ａの括れ部１３の面積（Ｓｎ）の１.１倍以上であることが好ましく、１.３倍以上であることが更に好ましい。
収納スタンド１Ａの開口部１１での横断面の面積（Ｓｏ）は、清掃具２の清掃モップ部２２での横断面の面積（Ｓｍ）と同じか或いはそれよりも広く、特に清掃具２の収納を行う際に挿入し易く、挿入する際にゴミやホコリが周囲にこぼれない観点から、清掃モップ部２２の横断面の面積（Ｓｍ）の１倍以上であることが好ましい。
【００２５】
収納スタンド１Ａに挿入して収納する清掃具２の清掃モップ部２２の長手方向（Ｙ方向）の長さ（Ｌｍ）、収納スタンド１Ａの長手方向（Ｙ方向）の長さ（Ｌｏ）及び収納スタンド１Ａの底部１２から括れ部１３までの長さ（Ｌｎ）の関係が、以下の式（３）を満たすこと（図８参照）。
Ｌｎ＜Ｌｍ≦Ｌｏ・・・（３）
ここで、清掃モップ部２２の長手方向（Ｙ方向）の長さ及び収納スタンド１Ａの長手方向（Ｙ方向）の長さとは、それぞれ、最もＹ方向の長さが短い位置での長さを意味する。また、収納スタンド１Ａの底部１２から括れ部１３までの長さとは、収納スタンド１Ａの底面から最も内方に括れた部位までの長さを意味する。
図８中に示す、底部の横断面の面積（Ｓｂ）の計測部と収納スタンドの下部接地面との間隔は、ブロー成型を考慮した場合に樹脂の厚みが薄くなるのを避けるために接地面周囲に付与する曲面部半径として必要となる成型上のものである。尚、該間隔は、２パーツ以上を射出成形により作製した後それらを接合す場合においては不要である。
【００２６】
清掃具２の清掃モップ部２２の長手方向（Ｙ方向）の長さ（Ｌｍ）は１３０ｍｍ〜１８０ｍｍ程度のものであることが好ましく、収納スタンド１Ａの長手方向（Ｙ方向）の長さ（Ｌｏ）は１５０ｍｍ〜２００ｍｍ程度のものであることが好ましく、収納スタンド１Ａの底部１２から括れ部１３までの長さ（Ｌｎ）は１１０ｍｍ〜１５０ｍｍ程度のものであることが好ましい。
清掃モップ部２２のＹ方向の長さ（Ｌｍ）は、収納スタンド１Ａの底部１２から括れ部１３までの長さ（Ｌｎ）よりも長く、特に清掃具２を収納スタンド１Ａに挿入した状態で繊維毛３と括れ部１３が接触し、清掃具２を略垂直に起立させる観点から、収納スタンド１Ａの底部１２から括れ部１３までの長さ（Ｌｎ）の１.１倍以上であることが好ましい。
そして、収納スタンド１Ａに挿入して収納した清掃具２の重心（図８参照）を上方側から頂面視して、収納スタンド１Ａの中央に安定的に保持する観点から、清掃具２の清掃モップ部２２のＹ方向の長さ（Ｌｍ）と収納スタンド１Ａの底部１２から括れ部１３までの長さ（Ｌｎ）の関係が、以下の式（４）を満たすことが、更に好ましい（図８参照）。
Ｌｎ≧Ｌｍ／２・・・（４）
このように、収納スタンド１Ａの底部１２から括れ部１３までの長さ（Ｌｎ）は、清掃モップ部２２のＹ方向の長さ（Ｌｍ）の１／２の長さと同じか或いはそれよりも長いことが好ましく、上記観点から、清掃モップ部２２のＹ方向の長さ（Ｌｍ）の７／１０〜９／１０の長さであることが特に好ましい。
収納スタンド１ＡのＹ方向の長さ（Ｌｏ）は、清掃モップ部２２のＹ方向の長さ（Ｌｍ）と同じか或いはそれよりも長く、特に清掃具２を収納スタンド１Ａに収納した状態で汚れたモップ部２２を隠す観点から、清掃モップ部２２のＹ方向の長さ（Ｌｍ）の１.１倍以上であることが特に好ましい。
【００２７】
尚、第１実施形態の収納スタンド１Ａは、上述したように、開口部１１の形状が円形に形成されており、収納スタンド１Ａに挿入して収納する清掃具２の清掃モップ部２２のＸ方向の断面形状も円形に形成されている。その為、第１実施形態の収納スタンド１Ａの円形の開口部１１の直径（Ｄｏ）、第１実施形態の収納スタンド１Ａの括れ部１３での間隔（Ｗｎ）、及び清掃具２の円柱状の清掃モップ部２２におけるＸ方向の断面の直径（Ｄｍ）の関係が、以下の式（５）を満たしていることが好ましい（図８参照）。
Ｗｎ＜Ｄｍ≦Ｄｏ・・・（５）
ここで、収納スタンド１Ａの括れ部１３での間隔（Ｗｎ）とは、括れ部１３において最も狭い間隔を意味する。例えば、後述する第２実施形態の収納スタンド１Ｂにおいては、括れ部１３の有する窪み部１５における間隔を意味する。
【００２８】
前述の通り、本実施形態の清掃具２の清掃モップ部２２での横断面の面積（Ｓｍ）は２８００ｍｍ2〜３８００ｍｍ2程度である。係る場合の収納スタンド１Ａの円形の開口部１１の直径（Ｄｏ）は６２ｍｍ〜７０ｍｍ程度のものであることが好ましく、括れ部１３での間隔（Ｗｎ）は５０ｍｍ〜５６ｍｍ程度のものであることが好ましく、清掃具２の円柱状の清掃モップ部２２の横断面の直径（Ｄｍ）は６０ｍｍ〜７０ｍｍ程度のものであることが好ましい。
円柱状の清掃モップ部２２の横断面の直径（Ｄｍ）は、括れ部１３での間隔（Ｗｎ）よりも広く、特に清掃具２を収納スタンド１Ａに挿入した状態で繊維毛３と括れ部１３が接触し、清掃具２を略垂直に起立させる観点から、括れ部１３での間隔（Ｗｎ）の１.２倍以上であることが好ましい。
収納スタンド１Ａの円形の開口部１１の直径（Ｄｏ）は、円柱状の清掃モップ部２２の横断面の直径（Ｄｍ）と同じか或いはそれよりも広く、特に清掃具２を挿入する際、及び取り出す際に清掃モップ部２２に付着したゴミやホコリが舞い上がり難い観点から、円柱状の清掃モップ部２２の横断面の直径（Ｄｍ）の１倍以上であることが好ましく、１.１倍以上であることが更に好ましい。
【００２９】
また、第１実施形態の収納スタンド１Ａは、上述したように、括れ部１３が、図５，図８に示すように、側壁１４が内方に凸状に湾曲して形成されている。その為、使用後の清掃モップ部２２にゴミやホコリの付いた清掃具２を再度使用するために、収納スタンド１Ａから取り出す際に、清掃モップ部２２に付着したゴミやホコリが舞い上がり難い。
【００３０】
また、第１実施形態の収納スタンド１Ａは、上述したように、括れ部１３が、図２に示すように、全周に亘って内方に括れている。その為、収納スタンド１Ａに清掃具２を挿入して収納すると、図１に示すように、清掃具２の清掃モップ部２２の横断面（水平方向（Ｘ方向）の断面）における中心部が、収納スタンド１Ａの横断面（水平方向（Ｘ方向）の断面）における中心部に保持され、清掃具２の柄部２１が収納スタンド１ＡからＹ方向に延出するように保持されるので、収納した清掃具２を再度使用する際に、柄部２１を手に取り易く、引き抜き易い。また、清掃具２の柄部２１が収納スタンド１ＡからＹ方向に延出するように保持されるので、リビングの手の届く範囲に置かれる清掃具セット１００の見栄えが良い。
【００３１】
次に、本発明の好ましい第２実施形態の収納スタンド１Ｂについて説明する。第２実施形態の収納スタンド１Ｂは、括れ部１３の形状が第１実施形態の収納スタンド１Ａと異なる。第２実施形態の収納スタンド１Ｂについては、第１実施形態の収納スタンド１Ａと異なる点について主として説明し、同様の点については同一の符号を付して説明を省略する。特に言及しない点については、第１実施形態の収納スタンド１Ａに関する説明が適宜適用される。また第２実施形態の収納スタンド１Ｂを使用した際の作用効果についても、収納スタンド１Ａの効果と異なる点について説明し、特に説明しない点は、収納スタンド１Ａの効果と同様であり、収納スタンド１Ａの効果の説明が適宜適用される。
【００３２】
第２実施形態の収納スタンド１Ｂの括れ部１３は、図９〜図１１に示すように、周方向に間欠的に配された内方に窪んだ窪み部１５を有している。窪み部１５は、清掃具２の清掃モップ部２２の横断面（水平方向（Ｘ方向）の断面）における中心部が、収納スタンド１Ａの横断面（水平方向（Ｘ方向）の断面）における中心部に保持され、清掃具２の清掃モップ部２２の繊維毛２３を潰れ難くする観点から、収納スタンド１Ａの周方向に等間隔を空けて間欠的に、２個以上配されていることが好ましい。
また窪み部１５は、本実施形態では、収納スタンド１Ｂの側壁１４の内面、外面ともに内方向に窪んでいる。
更に、繊維毛２３で覆われた縦長の清掃モップ部２２断面が扁平である場合などに、短辺方向に対になるように窪み部１５を設け、モップが略垂直に起立するように調整しても良い。
窪み部１５の形状に関しては、特に制限されず、例えば、図１０に示すように、側面視して、Ｘ方向に長い楕円の他、円形、菱形、多角形等の任意の形状であってもよい。
【００３３】
第２実施形態の収納スタンド１Ｂを用いる清掃具セット１００も、第１実施形態の収納スタンド１Ａを用いる清掃具セット１００と同様に、収納スタンド１Ｂと、該収納スタンド１Ｂに挿入して収納する清掃具２とを備えて構成される。第２実施形態の収納スタンド１Ｂを用いる清掃具セット１００を使用した際の作用効果については、収納スタンド１Ａを用いる清掃具セット１００の効果と異なる点について説明し、特に説明しない点は、収納スタンド１Ａを用いる清掃具セット１００の効果と同様であり、収納スタンド１Ａを用いる清掃具セット１００の効果の説明が適宜適用される。
【００３４】
第２実施形態の収納スタンド１Ｂを用いる清掃具セット１００は、上述したように、収納スタンド１Ｂの括れ部１３が、図９〜図１１に示すように、周方向に間欠的に配された内方に窪んだ窪み部１５を有している。その為、上述したように、収納スタンド１Ｂに清掃具２を挿入して収納すると、清掃具２の清掃モップ部２２が、複数の窪み部１５の頂部で挟まれて保持されるので、清掃モップ部２２の横断面（水平方向（Ｘ方向）の断面）における中心部が、収納スタンド１Ｂの横断面（水平方向（Ｘ方向）の断面）における中心部に更に保持され易くなると共に、収納スタンド１Ｂに挿入して収納した際に清掃モップ部２２が潰れて変形し難なる。
【００３５】
本発明の収納スタンドは、上述の第１〜第２実施形態の収納スタンド１Ａ〜１Ｂに何ら制限されるものではなく、適宜変更可能である。
例えば、上述の第１〜第２実施形態の収納スタンド１Ａ〜１Ｂにおいては、図５，図１１に示すように、側壁１４が内方に凸状に湾曲して括れ部１３が形成されているが、収納スタンド１Ａの側壁１４が屈曲して形成されていてもよい。
【００３６】
また、上述の第１〜第２実施形態の収納スタンド１Ａ〜１Ｂにおいては、図３，図４及び図９，図１０に示すように、括れ部１３が、全周に亘って括れているが、全周に亘って括れていなくてもよい。
【００３７】
上述の第１〜第２実施形態の収納スタンド１Ａ，１Ｂは、該収納スタンド１Ａ，１Ｂに挿入して収納する清掃具２とのセットの清掃具セット１００として提供されると、上述した種々の効果が奏されるため、好適である。
【符号の説明】
【００３８】
１Ａ，１Ｂ  収納スタンド
１１  開口部
１２  底部
１３  括れ部
１３ａ  括れ部の頂部
１４  側壁
１５  窪み部
２  清掃具
２１  柄部
２２  清掃モップ部
２２ａ  基材
２３  繊維毛
２４  清掃ヘッド
１００  清掃具セット
【図１】
2014233414.tif 000003
【図２】
2014233414.tif 000004
【図３】
2014233414.tif 000005
【図４】
2014233414.tif 000006
【図５】
2014233414.tif 000007
【図６】
2014233414.tif 000008
【図７】
2014233414.tif 000009
【図８】
2014233414.tif 000010
【図９】
2014233414.tif 000011
【図１０】
2014233414.tif 000012
【図１１】
2014233414.tif 000013